(57)【特許請求の範囲】
【請求項１】
光学系に前眼部レンズを挿入した状態で前眼部近傍と光学的に共役な位置に配置された第１の光源の被検眼角膜からの反射の虚像を用いて眼底カメラと被検眼の位置合わせを行ない、しかる後に前記前眼部レンズを光学系から離脱させ、眼底と光学的に共役な位置に配置された第２の光源の被検眼角膜からの反射の虚像を用いて眼底カメラと被検眼の位置合わせを行なう眼底カメラにおいて、
前記第１の光源として左眼用および右眼用のものを設け、
前記左眼用および右眼用の第１の光源の位置を前記前眼部レンズの離脱にともなう左右の被検眼の視線の移動にみあった距離だけ光学系の光軸から逆方向にオフセットして配置し、
被検眼の左右に応じて前記左眼用および右眼用の第１の光源の位置を切り換えて用いることを特徴とする眼底カメラ。
【請求項２】
前記前眼部レンズの挿入ないし離脱に連動して前記第１および第２の光源の点灯ないし消灯を制御することを特徴とする請求項１に記載の眼底カメラ。
【請求項３】
被検眼の左眼用および右眼用の内部固視灯を設け、これら左眼用および右眼用の内部固視灯を被検眼の左右に応じて切り換え、被検眼の左右で異なる方向に被検眼の視線を誘導することを特徴とする請求項１に記載の眼底カメラ。
【請求項４】
被検眼の左右を眼底カメラの架台の位置によって検出する検出手段を設けたことを特徴とする請求項１に記載の眼底カメラ。
【請求項５】
光学系に前眼部レンズを挿入した状態で前眼部近傍と光学的に共役な位置に配置された第１の光源の被検眼角膜からの反射の虚像を用いて眼底カメラと被検眼の位置合わせを行ない、しかる後に前記前眼部レンズを光学系から離脱させ、眼底と光学的に共役な位置に配置された第２の光源の被検眼角膜からの反射の虚像を用いて眼底カメラと被検眼の位置合わせを行なう眼底カメラにおいて、
検者が被検眼を観察する観察光学系の視野内に第１の光源の被検眼角膜からの反射の虚像の最適アライメント状態に対応する位置を示すマークを形成し、被検眼の左右に応じて前記マークの位置を前記前眼部レンズの離脱にともなう左右の被検眼の視線の移動にみあった位置に変化させることを特徴とする眼底カメラ。
【請求項６】
前記マークの表示ないし非表示を前眼部観察レンズの挿入に連動して制御することを特徴とする請求項５に記載の眼底カメラ。
【請求項７】
前記前眼部レンズの挿入ないし離脱に連動して前記第１および第２の光源の点灯ないし消灯を制御することを特徴とする請求項５に記載の眼底カメラ。
【請求項８】
被検眼の左眼用および右眼用の内部固視灯を設け、これら左眼用および右眼用の内部固視灯を被検眼の左右に応じて切り換え、被検眼の左右で異なる方向に被検眼の視線を誘導することを特徴とする請求項５に記載の眼底カメラ。
【請求項９】
被検眼の左右を眼底カメラの架台の位置によって検出する検出手段を設けたことを特徴とする請求項５に記載の眼底カメラ。
【発明の詳細な説明】
【０００１】
【発明の属する技術分野】
本発明は、特に、被検眼の角膜反射を利用して被検眼に対してアライメントを行なう眼底カメラに関する。
【０００２】
【従来の技術】
眼底カメラを用いて、眼底の観察あるいは撮影を行なうためには、眼底カメラと被検眼の相対位置を調整するアライメント（位置合わせ）作業を行なう必要がある。通常、このアライメントは、まず被検眼前眼部と眼底力メラの位置合わせを行ない、その後、より精密に被検眼眼底と眼底カメラの位置合わせを行なう。
【０００３】
このアライメントは、アライメント光源の角膜反射像を被検眼前眼部に対するアライメント（前眼部アライメント）では被検眼の前眼部近傍に形成し、被検眼眼底に対するアライメント（眼底アライメント）では被検眼の眼底に形成し、これらの像をモニタや観察光学系を介して観察しながらカメラの位置を調節することにより行なう。
【０００４】
被検眼前眼部に対するアライメントの後、被検眼眼底に対するアライメントに移行する際、被検眼前眼部との位置合わせで得られた被検眼と眼底カメラの眼軸・光軸の位置関係を維持した状態で眼底カメラを被検眼に近づけるように移動し、被検眼と眼底カメラの間の距離を縮める構成の他に、眼底カメラを移動せず被検眼前眼部との位置合わせのために光学系に挿入しておいた前眼部レンズを光路から離脱させる構成も知られている。
【０００５】
【発明が解決しようとする課題】
上述の従来構成のうち、前眼部レンズを光路から着脱することにより被検眼前眼部との位置合わせ、および被検眼眼底との位置合わせを切り換える構成においては、次のような問題がある。
【０００６】
すなわち、左眼と右眼では眼底カメラに対して角膜の向きが逆であるので、被検眼の角膜反射の虚像による輝点を用いて位置合せを行おうとした場合、観察画面を前眼部から眼底に切り換えたときに左眼右眼の最低一方で中心ずれを起こしてしまう。
【０００７】
この様子を図６〜図８を参照して説明する。図６は被検眼Ｅ（左眼）と眼底カメラの光学系要部の概略を下方から示している。ここでは眼底カメラの光学系は、対物レンズＬＯ、前眼部レンズＬＦのみを示している。
【０００８】
対物レンズＬＯの近傍には前眼部アライメント時にワーキングドットとして角膜反射像（虚像）を被検眼Ｅの前眼部近傍に形成するためのＬＥＤ（発光ダイオード）ＡおよびＢが設けられるとともに、光学系内部の適当な位置に眼底アライメント時にワーキングドットとして角膜反射像（虚像）を被検眼Ｅの眼底に形成するための眼底共役アライメント指標ＯＦが設けられる。
【０００９】
眼底共役アライメント指標ＯＦは適当な光源と、マスクないし光ファイバなどの組合せにより構成される。ここでは細部の図示を省略しているが、眼底共役アライメント指標ＯＦも水平方向に２個配置され、眼底に２個の指標像が投影されるようになっている。
【００１０】
また、光学系内部には、被検眼Ｅの視線を誘導する内部固視灯ＬＥＤ（Ｃ）、（Ｄ）が設けられる。内部固視灯ＬＥＤ（Ｃ）、（Ｄ）は、それぞれ左眼用および右眼用のもので、適当な点灯制御機構を介して左眼、右眼のいずれを検査しているかに応じていずれかが点灯され、被検眼の左右に応じた適当な方向に被検眼の視線を誘導する。通常、これらの左眼用および右眼用の内部固視灯ＬＥＤ（Ｃ）、（Ｄ）は、被検眼の視線が被検者の正面よりも被検者の体の中心を向くように配置される。
【００１１】
前眼部アライメント時には、前眼部レンズＬＦは、不図示の機構により光路に挿入されており、この状態で、ＬＥＤ（Ａ）および（Ｂ）の角膜反射像（虚像）を被検眼Ｅの前眼部近傍に形成し、この像をモニタや観察光学系を介して観察しながらカメラの位置を調節する。
【００１２】
そして、前眼部レンズＬＦは、眼底アライメントに移行する際、光路から離脱され、今度は被検眼Ｅの眼底に形成された眼底共役アライメント指標ＯＦの角膜反射像（虚像）を用いてカメラの位置を調節することになる。
【００１３】
この眼底アライメントの移行の際、前眼部レンズＬＦが光路から離脱され、光学系の倍率が変化するため、内部固視灯ＬＥＤ（Ｃ、あるいは右眼の場合はＤ）の光路が図６の破線で示す状態から実線で示す状態に変化する。
【００１４】
この光学系切り換えの際の、内部固視灯ＬＥＤ（Ｃ、ないしＤ）の眼底投影位置の変化を観察視野に対応して図示すると図７のようになる。すなわち、内部固視灯ＬＥＤ（Ｃ、ないしＤ）の眼底投影位置は、図７（Ａ）のＰ１から図７（Ｂ）のＰ２に移動する。
【００１５】
これに応じて、被検者は無意識のうちに注視している内部固視灯ＬＥＤ（Ｃ、ないしＤ）の像を眼底で感度の最も良い黄斑部の位置に投影しようとして被検眼Ｅを図６の矢印のように動かしてしまう。
【００１６】
図６、図７は左眼の場合を示しているが、この被検眼Ｅの視線の移動は、右眼ではカメラに対しては逆方向になる（左眼、右眼いずれの視線も被検者の体の内側（鼻側）を向くよう移動する）。
【００１７】
したがって、たとえば左眼について、図８（Ａ）に示すようにまずＬＥＤ（Ａ）、（Ｂ）の虚像Ａ’、Ｂ’が虹彩の中央位置に来るように前眼部のアライメントを行ない、続いて前眼部レンズＬＦを離脱させて眼底部のアライメントに移行すると、上記の被検眼Ｅの動きにともない図８（Ｂ）のように眼底共役アライメント指標ＯＦの虚像ＯＦ’の１つが視野を外れてしまう。
【００１８】
以上のように、被検眼前眼部でのアライメント終了後に眼底部でのアライメントを行なうために眼底画面に切り換えた際に、もう一度左右の位置合わせを眼底画面上でやり直さなければならない、という問題があった。
【００１９】
そこで本発明の課題は、上記の問題を解決し、被検眼の左右にかかわらず極めて容易かつ正確に被検眼と眼底カメラのアライメントを行なえるようにすることにある。
【００２０】
【課題を解決するための手段】
上記の課題を解決するため、本発明によれば、光学系に前眼部レンズを挿入した状態で前眼部近傍と光学的に共役な位置に配置された第１の光源の被検眼角膜からの反射の虚像を用いて眼底カメラと被検眼の位置合わせを行ない、しかる後に前記前眼部レンズを光学系から離脱させ、眼底と光学的に共役な位置に配置された第２の光源の被検眼角膜からの反射の虚像を用いて眼底カメラと被検眼の位置合わせを行なう眼底カメラにおいて、前記第１の光源として左眼用および右眼用のものを設け、前記左眼用および右眼用の第１の光源の位置を前記前眼部レンズの離脱にともなう左右の被検眼の視線の移動にみあった距離だけ光学系の光軸から逆方向にオフセットして配置し、被検眼の左右に応じて前記左眼用および右眼用の第１の光源の位置を切り換えて用いる構成（請求項１）、あるいは、検者が被検眼を観察する観察光学系の視野内に第１の光源の被検眼角膜からの反射の虚像の最適アライメント状態に対応する位置を示すマークを形成し、被検眼の左右に応じて前記マークの位置を前記前眼部レンズの離脱にともなう左右の被検眼の視線の移動にみあった位置に変化させる構成（請求項５）を採用した。
【００２１】
【発明の実施の形態】
以下、図を参照して本発明の実施の形態を説明する。
【００２２】
［第１実施形態］
図１は本発明を採用した眼底カメラの側面および背面を示している。図示の眼底カメラ本体１０は操作レバー１１とそれに付随の操作リング１１ａの操作により架台１２上を前後左右方向並びに被検者１３に対して上下方向に移動できるように構成されている。また、眼底カメラ本体は、被検眼を中心に水平面内で回動できると共に、軸１０ａを中心に垂直面内でも回動できるようになっていて、額当て１０ｂに額を当て、顎台１０ｃに顎を当てて着座する被検者１３の被検眼１３ａに対して位置合わせ（アライメント）できるようになっている。
【００２３】
この位置合わせは、後述するように、まず前眼部アライメント用のアライメント光源としてのＬＥＤ１、２、３、４の被検眼１３ａの角膜反射による虚像を検者が観察し、操作レバー１１を操作して眼底カメラ本体１０を被検眼１３ａに対して移動させることにより行なわれる。
【００２４】
前眼部アライメント用のＬＥＤ１、２、３、４の配置順序およびその位置については後述するが、左眼を検査する時はＬＥＤ１および４が、右眼を検査する時はＬＥＤ２および３がそれぞれ用いられるように制御する。
【００２５】
このため、図１の右側にカメラの背面からの構造を示すように、架台１２の操作状態を検出するリミットスイッチなどから成るスイッチＳＷ１およびＳＷ２を設けておき、操作レバー１１により、眼底カメラの架台１２のスライダ１４が左眼を検査すべく図の右側に移動された場合はＬＥＤ１および４が点灯し、架台１２のスライダ１４が右眼を検査すべく図の左側に移動された場合はＬＥＤ２および３が点灯するように制御する。また、ＳＷ１およびＳＷ２は、上記の左眼／右眼の切り換えに同期して後述の内部固視灯ＬＥＤ（Ｃ）、（Ｄ）の点灯も制御する。
【００２６】
図２に図１の眼底カメラの光学系の構造を示す。図２の下部は照明系の構造を示しており、観察用光源であるランプＬＡがミラーＭ１の中心に配置され、このランプから発せられた光は、コンデンサーレンズＬ１、可視光をカットし赤外光ないし近赤外光のみを通過させるフィルタＦ、コンデンサーレンズＬ２を経て、全反射ミラーＭ２によって反射され、続いてリレーレンズＬ３、Ｌ４を経て、中心に穴のあいた穴あき全反射ミラーＭ３で反射されてから、対物レンズＬ５を経て被検眼Ｅの瞳Ｅｐより眼底Ｅｒに入射される。
【００２７】
眼底Ｅｒからの反射光は、再び瞳Ｅｐから対物レンズＬ５を介して受光され、穴あき全反射ミラーＭ３の穴を介して合焦レンズＬ６、結像レンズＬ７を通過し、ミラーＭ４に入射する。ミラーＭ４で反射された光は、レンズＬ８を通過してミラーＭ６で反射された後レンズＬ９を介してＣＣＤ上に結像され、その像がモニタＭで観察できるように構成されている。
【００２８】
また、眼底像を撮影するために、フィルタＦとレンズＬ２間に撮影用光源であるストロボＳＲが配置される。このとき、３５ｍｍフィルムＦ１上に眼底像を撮影する場合は、ミラーＭ４が光路から外され、眼底像がフィルムＦ１上に導かれる。またポラロイドカメラ（登録商標）で撮影する場合には、ミラーＭ６が光路からはずされ、眼底像がこのポラロイドカメラ（登録商標）のフィルムＦ２に導かれる。
【００２９】
また、被検眼Ｅの視線を誘導するために内部固視灯ＬＥＤ（Ｃ）および（Ｄ）が設けられ、このＬＥＤからの光は、レンズＬ１０、ミラーＭ８、レンズＬ１１を経て穴あき全反射ミラーＭ３と結像レンズＬ６間に配置されたミラーＭ９に入射され、穴あき全反射ミラーＭ３、レンズＬ５を介して眼底Ｅｒに投影される。
【００３０】
内部固視灯ＬＥＤ（Ｃ）、（Ｄ）は、従来例同様、それぞれ左眼用および右眼用のもので、前述のＳＷ１およびＳＷ２により、左眼、右眼のいずれを検査しているかに応じていずれかが点灯され、被検眼の左右に応じて被検眼の視線が被検者の正面よりも被検者の体の中心を向くように誘導する。
【００３１】
穴あき全反射ミラーＭ３と対物レンズＬ５の間には、不図示の機構を介して前眼部アライメント（あるいは観察）時に光路に挿入され、眼底部アライメント（あるいは観察）時に光路から離脱する前眼部レンズＬＦが設けられる。
【００３２】
また、眼底カメラには近赤外光を発生するアライメント光源ＬＥＤ５とＬＥＤ６が設けられており、これら光源の像がレンズＬ２０によりオプティカルファイバーＯＦの一端面に結像される。オプティカルファイバーＯＦの他端は、穴あき全反射ミラーＭ３の中心に配置され、その像が対物レンズＬ５を介して被検眼Ｅに投影される。この時、オプティカルファイバーＯＦの他端の角膜反射像（虚像）が被検眼Ｅの眼底Ｅｒに形成される。なお、光源ＬＥＤ５とＬＥＤ６は、図面の紙面に垂直方向（被検者および眼底カメラの左右方向に対応）に配置されているので、図２では、重なって図示されている。
【００３３】
さらに、対物レンズＬ５の近傍には、前眼部アライメントのために、近赤外光を発生するアライメント光源としてＬＥＤ１〜４が配置されている。このうち、ＬＥＤ１および４は左眼に対して用い、ＬＥＤ２および３は右眼に対して用いるものである。
【００３４】
図２では、対物レンズＬ５の近傍の構造は説明を容易にするために下方から（架台側から見上げるように）示してあるが、左眼に対して用いるＬＥＤ１〜４間の距離と右眼に対して用いるＬＥＤ２〜３間の距離は等距離で、かつＬＥＤ１と４は右眼側にＬＥＤ２と３は左眼側にそれぞれオフセットさせて（ずらして）配置されている。図３（Ａ）（あるいは後述の図４（Ａ））はこのＬＥＤ１〜４の配列を被検者から見た状態で示している。
【００３５】
ＬＥＤ１と４およびＬＥＤ２と３のカメラの光軸からのオフセット量は、前眼部レンズＬＦの離脱にともなう左右の被検眼の視線の移動にみあった距離とする。
【００３６】
さらに、図２において、ＬＥＤ１、２の前方には絞りＳ１が、ＬＥＤ３、４の前方には絞りＳ２がそれぞれ被検眼Ｅに対向して配置され、絞りＳ１、Ｓ２から出射される光源ＬＥＤ１〜４の光が被検眼の角膜により反射され、その角膜反射像（虚像）が前眼部近傍に形成される。
【００３７】
前眼部アライメント用のＬＥＤ１および４、またはＬＥＤ２および３は、前述のように架台１２の左右の移動に応じて点灯制御される。すなわち、操作レバー１１により、眼底カメラの架台１２が左眼を検査すべく図の右側に移動された場合はＬＥＤ１および４が点灯し、架台１２が右眼を検査すべく図の左側に移動された場合はＬＥＤ２および３が点灯する。
【００３８】
また、前眼部アライメント用のＬＥＤ１〜４は、少なくとも前眼部レンズＬＦが挿入されている期間の間点灯され、眼底アライメント用のＬＥＤ５および６は、少なくとも前眼部レンズＬＦが離脱された期間の間点灯されるよう制御する。このとき、前眼部アライメント〜眼底アライメントへの移行過渡期においてＬＥＤ１〜４と、５および６の両方の系統が同時点灯している期間が存在するよう、つまり前眼部アライメント系と眼底アライメント系のすべてのＬＥＤが消灯することは構造上ないように構成するのが望ましい。
【００３９】
次に以上の構成における動作につき詳細に説明する。
【００４０】
まず、ランプＬＡを点灯させ、そのランプ光源の光がミラーＭ１、レンズＬ１を介してフィルタＦを通過し、レンズＬ２〜Ｌ５を介して眼底Ｅｒに投射され、これにより眼底Ｅｒが照明される。
【００４１】
左眼を検査する時は、眼底カメラ本体１０は架台１２に対して図１に図示した位置に移動され、これによりスイッチＳＷ１が閉じＬＥＤ１と４が点灯する。このＬＥＤ１と４の光源の像は、角膜反射により虚像となってモニタＭに輝点となって観察される。眼底に比べて位置合わせが容易である前眼部に位置合わせを行なうと、ＬＥＤ１、４の角膜反射像が、被検眼１３ａの前眼部近傍に形成され、図３（Ｂ）に示すように、ＬＥＤ４と１の光源が点灯されると、これらにそれぞれ対応する虚像２０ａ、２０ｂが輝点として前眼部中央付近に現れる。
【００４２】
また、右眼の検査においてはＳＷ２による同様の制御により、ＬＥＤ３と２が点灯され、これらにそれぞれ対応する虚像２０ａ、２０ｂ（図３（Ｂ））が形成される。
【００４３】
この前眼部アライメントにおいては、輝点２０ａ、２０ｂ（左眼の場合ＬＥＤ１、４により右眼の場合ＬＥＤ２、３により形成される）が形成される。眼底カメラの前後方向の調節に関しては、２つの輝点２０ａ、２０ｂが形成されているので、たとえば眼底カメラを被検眼Ｅに近づけると、輝点２０ａ、２０ｂそれぞれ外側に寄っていく状態がモニタＭで観察される。眼底カメラの近づける方向が光軸と一致していると、左右均等に２つの輝点２０ａ、２０ｂが動いていくので、アライメントの途中で光軸がずれても、どの方向にずれたかが把握しやすく、アライメントの修正を容易に行なうことができる。
【００４４】
図３（Ｂ）では、簡略化のため被検眼の虹彩を中央に示しているが、実際には図３（Ａ）のようにＬＥＤ１および４を中央からオフセットして配置しているので、左眼のケースでは、図４（Ａ）のように虚像２０ａ、２０ｂがモニタＭの画面の中心（図中の垂直線Ｖ−Ｖ’と水平線Ｈ−Ｈ’の交点）に対称な位置に来るように調節すると被検眼の虹彩Ｉが画面の右側にオフセットした状態となり、本実施形態ではこのときに前眼部アライメントが達成されたことになる。
【００４５】
この虹彩Ｉのカメラに対する位置ずれは、前眼部レンズＬＦの離脱にともなう左右の被検眼の視線の移動をあらかじめ補償するためのものである。
【００４６】
なお、図４（Ａ）には、ＬＥＤ１、４を点灯させた状態で、被検者側から見た対物レンズＬ５およびＬＥＤ１〜４を示してある。
【００４７】
続いて、眼底アライメントに入るには、前眼部レンズＬＦを離脱させる。これにより、図３（Ｃ）のように、眼底Ｅｒに形成されるＬＥＤ５と６の角膜反射像（虚像）が別の輝点２１ａ、２１ｂとなって左右それぞれに現れる。
【００４８】
上述のように本実施形態においては、前眼部アライメントのためのＬＥＤ１および４、あるいは２および３をオフセットして配置し、前眼部アライメントの際、眼底アライメントへの切り換えの際の前眼部レンズＬＦの離脱により生じる被検眼の視線の移動を見越した位置に眼底カメラを位置決めしているので、前眼部レンズＬＦの離脱および被検眼の視線移動の後、直ちに図３（Ｃ）あるいは図４（Ｂ）のようにＬＥＤ５と６による輝点２１ａ、２１ｂが眼底中央に現れ、この状態からより精密なアライメントを行なうことができ、従来のように前眼部レンズＬＦの離脱による視線移動によってずれた位置からあらためて眼底アライメントをやり直す必要がなく、被検眼の左右に拘らず短時間で正確かつ容易に眼底アライメントを終了させることができる。
【００４９】
このようにしてアライメントを完了すると、焦点調節を行ったあとストロボＳＲを点灯し、眼底像を３５ｍｍフィルムＦ１ないしポラロイドカメラ（登録商標）のフィルムＦ２に撮影する。このとき３５ｍｍフィルムＦ１に撮影する場合は、ミラーＭ４を光路から離脱させ、一方、ポラロイドカメラ（登録商標）のフィルムＦ２に撮影する場合は、ミラーＭ４を光路に挿入してミラーＭ６を光路から離脱させる。
【００５０】
なお、ＬＥＤ１〜６を点灯するとき、これらの光源を所定の周期で点滅させるようにすると、検者が各輝点を識別しやすくなる。このときＬＥＤ１〜４の点滅周期をＬＥＤ５および６の点滅周期と異ならしめると、どのＬＥＤが点灯しているかが識別でき、操作性のよいアライメントが可能となる。また各ＬＥＤの形状、配置を異ならしめ、輝点２０ａ、２０ｂの形状、配置を輝点２１ａ、２１ｂと異なるようにすることもできる。例えば、輝点２０ａ、２０ｂの形状を丸に、また輝点２１ａ、２１ｂの形状を四角にしたり、また、輝点２０ａ、２０ｂは、図３（Ｂ）に図示した方向に現れ、輝点２１ａ、２１ｂは図３（Ｃ）、（Ｄ）と直角方向に現れたりするようにしておいてもよい。
【００５１】
また、光源ＬＥＤ１と２を、被検眼前眼部を観察又は撮影するときの光源として使用するようにすることもできる。
【００５２】
［第２実施形態］
以上の実施形態においては、前眼部アライメント用のワーキングドットを形成するために左眼用のＬＥＤ１、４、および右眼用のＬＥＤ２、３を設け、これらの各組を眼部レンズの離脱にともなう左右の被検眼の視線の移動にみあった距離だけ光学系の光軸から逆方向にオフセットして配置し、被検眼の左右に応じて前記左眼用および右眼用の各ＬＥＤを切り換えて用いる構成を示した。
【００５３】
しかし、下記のように、前眼部アライメント用のワーキングドットを形成するＬＥＤを従来通り左右の眼で共通にし、その位置がモニタ画面上でオフセットした位置に来た時を前眼部アライメント達成状態とすることもできる。
【００５４】
この場合、眼底カメラの全体構成は図１〜図３に示したものと同様でよいが、前眼部アライメント用のワーキングドットを形成するＬＥＤを従来通り左右の眼で共通にする。
【００５５】
たとえば、図５（Ａ）の右側に示すように、前眼部アライメント用のワーキングドットを形成するＬＥＤ１’およびＬＥＤ４’を、対物レンズＬ５に対してオフセット無しで配置する。
【００５６】
そして、左眼の場合、ＬＥＤ１’およびＬＥＤ４’の角膜反射の虚像として形成される輝点２０ａ、２０ｂ、および虹彩Ｉの像が、図５（Ａ）の左側に示すようにモニタＭの画面の中心（図中の垂直線Ｖ−Ｖ’と水平線Ｈ−Ｈ’の交点）から右方向にオフセットした位置に来た時を前眼部アライメント達成状態とする。
【００５７】
もちろん、この虹彩Ｉのカメラに対する位置ずれは、前記実施形態同様に前眼部レンズＬＦの離脱にともなう左右の被検眼の視線の移動をあらかじめ補償するためのものである。
【００５８】
そして、上記の前眼部アライメント達成時の虚像２０ａ、２０ｂの最適位置を示すために、たとえばモニタＭの画面上にたとえば図５（Ａ）に示す（）（）のようなマーク２０ｃ、２０ｄをオフセットさせて形成する。
【００５９】
当然、右眼に対しては、図５（Ｂ）に示すように、マーク２０ｃ、２０ｄを図５（Ａ）とは逆方向にオフセットさせて形成する。
【００６０】
これらのマーク２０ｃ、２０ｄは、モニタＭの入力画像データに対する画像処理により形成するか、あるいは、ブライトフレームのような光学的な機構を用いて表示するようにしてもよい。
【００６１】
また、マーク２０ｃ、２０ｄの表示位置は、ＳＷ１ないし、ＳＷ２（図１）を介して架台１２の位置を検出し、左右いずれの眼を検査しているかに応じて切り換えればよい。また、マーク２０ｃ、２０ｄは前眼部アライメントの際にのみ必要なものであるから、前眼部レンズＬ５を離脱させるのと同期してマーク２０ｃ、２０ｄは非表示状態に制御する。
【００６２】
以上のように、前眼部アライメント用のワーキングドットを形成するＬＥＤを従来通り左右の眼で共通にし、その位置がモニタ画面上でオフセットした位置に来た時を前眼部アライメント達成状態とする構成によっても、前眼部アライメントの際、眼底アライメントへの切り換えの際の前眼部レンズＬＦの離脱により生じる被検眼の視線の移動を見越した位置に眼底カメラをあらかじめ位置決めすることができ、従来のように前眼部レンズＬＦの離脱による視線移動によってずれた位置からあらためて眼底アライメントをやり直す必要がなく、被検眼の左右に拘らず短時間で正確かつ容易に眼底アライメントを終了させることができる。
【００６３】
なお、前述の第１実施形態において示した各変形例は、本実施形態においても同様に実施できるのはいうまでもない。
【００６４】
【発明の効果】
以上の説明から明らかなように、本発明によれば、光学系に前眼部レンズを挿入した状態で前眼部近傍と光学的に共役な位置に配置された第１の光源の被検眼角膜からの反射の虚像を用いて眼底カメラと被検眼の位置合わせを行ない、しかる後に前記前眼部レンズを光学系から離脱させ、眼底と光学的に共役な位置に配置された第２の光源の被検眼角膜からの反射の虚像を用いて眼底カメラと被検眼の位置合わせを行なう眼底カメラにおいて、前記第１の光源として左眼用および右眼用のものを設け、前記左眼用および右眼用の第１の光源の位置を前記前眼部レンズの離脱にともなう左右の被検眼の視線の移動にみあった距離だけ光学系の光軸から逆方向にオフセットして配置し、被検眼の左右に応じて前記左眼用および右眼用の第１の光源の位置を切り換えて用いる構成（請求項１）、あるいは、検者が被検眼を観察する観察光学系の視野内に第１の光源の被検眼角膜からの反射の虚像の最適アライメント状態に対応する位置を示すマークを形成し、被検眼の左右に応じて前記マークの位置を前記前眼部レンズの離脱にともなう左右の被検眼の視線の移動にみあった位置に変化させる構成（請求項５）を採用することにより、前眼部アライメントの際、眼底アライメントへの切り換えの際の前眼部レンズの離脱により生じる被検眼の視線の移動を見越した位置に眼底カメラをあらかじめ位置決めすることができ、従来のように前眼部レンズの離脱による視線移動によってずれた位置からあらためて眼底アライメントをやり直す必要がなく、被検眼の左右に拘らず短時間で正確かつ容易に眼底アライメントを終了させることができるという優れた効果が得られる。
【図面の簡単な説明】
【図１】本発明の眼底カメラの概観を示す側面図である。
【図２】眼底カメラの光学系の配置を示した配置図である。
【図３】（Ａ）は、対物レンズとアライメント光源の配置を、また、（Ｂ），（Ｃ）は前眼部および眼底アライメント中にモニタに現れる画像を示した説明図である。
【図４】（Ａ）は前眼部アライメントの最適位置を示すマークとワーキングドットの状態を、（Ｂ）は眼底アライメント時のワーキングドットの状態を、それぞれアライメント動作中にモニタに現れる画像として示した説明図である。
【図５】（Ａ）および（Ｂ）は、本発明の異なる実施形態において、それぞれ左眼と右眼について前眼部アライメント動作中にモニタに現れる画像を示した説明図である。
【図６】従来の眼底カメラにおける視線移動の問題点を示した説明図である。
【図７】従来の眼底カメラにおいて視線移動により生じる内部固視灯の投影点の移動を示した説明図である。
【図８】従来の眼底カメラにおいて眼底アライメントに移行した際モニタに現れる画像を示した説明図である。
【符号の説明】
１０  眼底カメラ本体
１１  操作レバー
１２  架台
ＬＥＤ１〜ＬＥＤ６  アライメント光源（ＬＥＤ）
ＬＥＤＣ、ＬＥＤＤ  内部固視灯
ＬＦ  前眼部レンズ
Ｌ５  対物レンズ
Ｍ  モニタ
ＳＷ１、ＳＷ２  スイッチ
２０ｃ、２０ｄ  マーク
２０ａ、２０ｂ、２１ａ、２１ｂ  輝点
【図１】
0004607310.tif 000002
【図２】
0004607310.tif 000003
【図３】
0004607310.tif 000004
【図４】
0004607310.tif 000005
【図５】
0004607310.tif 000006
【図６】
0004607310.tif 000007
【図７】
0004607310.tif 000008
【図８】
0004607310.tif 000009